(57)【要約】      （修正有）【課題】でんでん太鼓の構造を提供する。【解決手段】主に太鼓体、太鼓皮、装飾帽、ネジ、頂点珠、握り棒、装飾台、打撃棒、オーバーハング紐により組成する。該太鼓体は左、右両側にそれぞれ太鼓皮を設置し、該太鼓体の本体両側には２本の対応するスイング紐を穿設する。該スイング紐と該太鼓体は頂点珠により連結し、該スイング紐末端には野球ボールの外観を呈する打撃珠を結びつける。該太鼓体頂端には平貫通孔を設置し、該装飾帽を該太鼓体頂点部に嵌設し、ネジを小孔に穿設し該平貫通孔において固定し、吊下げ紐を穿設する頂点珠を小孔に嵌設し飾りとする。該太鼓体底端には野球のバット状の握り棒を挿入設置し、遊びたければ、握り棒を回転させれば該打撃珠は遠心力作用を受け、太鼓皮にぶつかりクリアな音を発する。【選択図】図１
0003128954.tif 000002
【実用新案登録請求の範囲】
【請求項１】
主に太鼓体、太鼓皮、装飾帽、ネジ、頂点珠、握り棒、装飾台、打撃棒、吊下げ紐及びオーバーハング紐により組成し、
該太鼓体左右両側にはそれぞれ太鼓皮を設置し、別に該太鼓体の本体両側には２本の対応するスイング紐を穿設し、該スイング紐と該太鼓体は頂点珠により連結し、該スイング紐の末端にはさらに打撃珠を結びつけ、該太鼓体頂端には平貫通孔を設置し、該装飾帽を該太鼓体頂点部に嵌設し、ネジを小孔に穿設し該平貫通孔において固定し、また該吊下げ紐を穿設する頂点珠を小孔に入れ飾りとすることを特徴とするでんでん太鼓の構造。
【請求項２】
前記太鼓体の底端には握り棒を挿入設置し、該打撃珠は野球のボールの外観を呈し、握り棒は野球のバットの外観を呈し、しかも該握り棒底端は定位孔に設置し、大固定台には定位ピンを設置し、該握り棒及び該打撃棒は該大、小固定台に挿入可能で、該握り棒は該定位孔により該大固定台の定位ピン上に固定され、安定性を増強することを特徴とする請求項１記載のでんでん太鼓の構造。
【請求項３】
前記太鼓皮には様々な図案をプリント可能であることを特徴とする請求項１記載のでんでん太鼓の構造。
【考案の詳細な説明】
【技術分野】
【０００１】
本考案は一種のでんでん太鼓の構造に関する。特に一種の楽器、玩具、装飾品の機能を兼備え、しかも子供のための日常或いは祭礼時の娯楽用品であるでんでん太鼓の構造に係る。
【背景技術】
【０００２】
祭礼や節句時或いは日常生活において子供はしばしばでんでん太鼓で遊び、年の節目のにぎやかな雰囲気を盛り上げる。しかし、現在市販されているでんでん太鼓は左右両側の打撃珠により単調な太鼓皮をたたくだけで、この他には他に機能性がなく、しかも使用しない時の収納が不便で、デザインも美しくない。
【０００３】
上記問題に鑑み、考案人は多くの時間と心血を注ぎこみ、研究改良に着手し、絶え間ない研究開発、テストを経てついに最新のでんでん太鼓を創作した。該でんでん太鼓は握り易く、置く或いは吊下げても、共に非常に便利で、しかもデザインは優雅で音は耳に心地よく、でんでん太鼓の芸術品とも言える構造である。
【考案の開示】
【考案が解決しようとする課題】
【０００４】
本考案は上記構造の問題点を解決したでんでん太鼓の構造を提供するものである。
【課題を解決するための手段】
【０００５】
上記課題を解決するため、本考案は下記のでんでん太鼓の構造を提供する。
【０００６】
それは主にでんでん太鼓の構造を提供し、
すなわちそれは太鼓体、装飾帽、太鼓皮、ネジ、頂点珠、握り棒、装飾台、打撃棒及びオーバーハング紐により組成し、
該太鼓体は左、右両側にそれぞれ太鼓皮を設置し、別に該太鼓体の本体両側には２本の対応するスイング紐を穿設し、該スイング紐と該太鼓体は頂点珠により連結し、該スイング紐の末端にはさらに野球のボール状の打撃珠をそれぞれ結びつけ、該太鼓体頂端には平貫通孔を設置し、該装飾帽を該太鼓体頂点部に嵌設し、ネジを小孔に穿設し該平貫通孔において固定し、また吊下げ紐を具えた頂点珠を小孔に入れ飾りとし、
該太鼓体底端には野球のバット状の握り棒を挿入設置し、遊ぶ時には手で握り棒を回転させるだけで該打撃珠は遠心力作用を受け、太鼓皮にぶつかりクリアな音を発し、或いは手で打撃棒を持ち打撃珠に代わり太鼓皮をたたいても、リズムを刻み耳を楽しませる音を奏でることができ、一般楽器としての機能を具え、
遊ばない時には、該握り棒及び該打撃棒の棒底を該装飾台上の大、小固定台に挿入すると、美しい装飾品となり、或いは吊下げ紐により壁のフック上に掛ければ別の美観を具えた壁掛け装飾品とすることができ、子供にとって或いは祭礼時の最適な遊び相手となり、楽器、玩具、装飾品等の多機能を併せ持つことを特徴とするでんでん太鼓の構造である。
【考案の効果】
【０００７】
上記のように、本考案は遊ぶ時、手で握り棒を回転させるだけで打撃珠は遠心力作用を受け太鼓皮にぶつかり、伝達される音波を遮るものがないため、発せられる音は非常にクリアで明るく、共鳴の効果を具える。また手で打撃棒を持ちリズムに合わせて太鼓皮をたたき（同様に美しく明らかな音を発することができる）、別の遊び方ができるため面白みを倍増することができる。さらに太鼓皮には図６に示すように様々な図案をプリントすることができ、楽しい雰囲気を作り出し、また図案が異なるため、異なるシーンで使用が可能で、効果をより向上させることができる。遊ばない時には、握り棒及び打撃棒を装飾台上の大、小固定台に挿入し、美しい装飾品とし、或いは吊下げ紐により壁のフックに吊下げ、場所をとらず別の美観を具えた壁掛け装飾品とすることができる。また本考案の頂端には装飾帽を被せ、吊下げ紐を穿設する頂点珠により飾りを定位し、しかも掛けることで場所をとらず、同一の頂点珠を太鼓体とスイング紐の相互連結に共用可能であるため、製造コストを節減し、しかも全体は曲線美を具え、楽器、玩具、装飾品等多項の機能を兼ね備えている。
【考案を実施するための最良の形態】
【０００８】
図１、２、３に示すように、でんでん太鼓の全体構造は太鼓体1左、右両側にはそれぞれ太鼓皮13を設置する。該太鼓体1の本体両側には２本の対応するスイング紐12を穿設し、該スイング紐12は頂点珠4の直孔40に入り、該頂点珠4の棒部は該太鼓体1内に入り固定される。該スイング紐12の末端にはそれぞれ野球のボール状などの打撃珠11を結びつける。また該太鼓体1頂端には平貫通孔10を設置し、該装飾帽2内部の平底面を該太鼓体1頂点部の平面に嵌設する(装飾帽の内側縁は太鼓体の頂点縁と相互に密着する)。さらにネジ3により該装飾帽2頂点部の小孔20及び該太鼓体1の平貫通孔10において穿設し、該太鼓体1の平貫通孔10において固定する。また吊下げ紐41を穿設する頂点珠4下方の柱端は該小孔20に入り定位される。
【０００９】
遊ばない時には、該握り棒5及び該打撃棒7の棒底5171を該装飾台6上の大、小固定台60、61の挿入孔600、610内に挿入し、該握り棒5棒底51の定位孔52に該大固定台60の定位ピン601を挿入し、該握り棒5を安定的に固定することができ、優雅な外観を持った装飾品とすることができる(図2参照)。
【００１０】
さらに図４に示すように、遊ぶ時には、手を用い円周方式で該握り棒5を回転させるだけで、該打撃珠11は遠心力作用を受け、該太鼓皮13にぶつかり、クリアな音を発する。
【００１１】
また図５に示すように、或いは手で打撃棒7を持ち、該打撃珠70に代わりリズムを取って該太鼓皮13をたたけば、楽しい音を発することができる。
【００１２】
さらに該握り棒5の下端には紐結び孔50を設置し、オーバーハング紐8を穿設、固定することができ、該オーバーハング紐8により壁上のフックに掛け収納し、或いは腕を通し遊ぶ時にも脱落防止が可能で、高い実用性を具えている。
【００１３】
すなわち、本考案機能は実用性を具えており、産業上の価値を増進可能で、子供の日常或いは祭礼時の最適な娯楽用品とすることができる。
【図面の簡単な説明】
【００１４】
【図１】本考案の立体分解図である。
【図２】本考案の立体組合図である。
【図３】本考案の断面指示図である。
【図４】本考案動作一の指示図である。
【図５】本考案動作二の指示図である。
【図６】本考案の太鼓皮の図案指示図である。
【符号の説明】
【００１５】
1  太鼓体
10  平貫通孔
11  打撃珠
12  スイング紐
13  太鼓皮
2  装飾帽
20  小孔
3  ネジ
4  頂点珠
40  直孔
41  吊下げ紐
5  握り棒
50  紐結び孔
51  棒底
52  定位孔
6  装飾台
60  大固定台
600  挿入孔
601  定位ピン
61  小固定台
610  挿入孔
7  打撃棒
70  打撃珠
71  棒底
8  オーバーハング紐
【図１】
0003128954.tif 000003
【図２】
0003128954.tif 000004
【図３】
0003128954.tif 000005
【図４】
0003128954.tif 000006
【図５】
0003128954.tif 000007
【図６】
0003128954.tif 000008